(57)【要約】【課題】シート状作品を傷めることなく簡単かつスムーズに交換でき、そして古来の掛軸と同様にシート状作品と掛軸本体との一体感を維持し、かつ掛軸本来の作品と掛軸とが総合して作出する優雅な美術品としての作品の鑑賞ができる掛軸【解決手段】掛軸本体の中央に、額縁状の保持部を形成し、その周囲の縁枠にて書などのシート状作品の四囲を安定に固定できるようにするとともに、縁枠の一隅を開閉できるようにしておき、シート状作品を前面中央の開口より容易にかつ損傷させることなく出し入れして交換可能とした【選択図】図５
2004248762.tif 000002
【特許請求の範囲】
【請求項１】
四角形の紙片の４辺をそれぞれ表面側にわずか折り曲げて中央に開口を形成してなる額縁状の台紙が掛軸本体に貼着されており、折返した各辺に一側が重なりかつ他側が掛軸本体面に位置するようにして帯片状の補強化粧紙が貼着されてなり、少なくとも折返し辺の一つのコーナー部が折れ線に沿って切断されて舌片となっていることを特徴とする掛軸
【請求項２】
平行な折返し辺の同一側の二つのコーナー部が折れ線に沿って切断されて舌片となっていることを特徴とする請求項１に記載の掛軸
【請求項３】
対向する折返し辺の一方が他方より大きく折返されていることを特徴とする請求項１あるいは２に記載の掛軸
【請求項４】
天表地、地表地が、上下側の補強化粧紙に、それぞれ一端が重なり、残部が上下の軸に至るまで総裏紙に重なり糊付されていることを特徴とする前記請求項の１に記載の掛軸
【発明の詳細な説明】
【０００１】
【発明の属する技術分野】
本発明は、書、水墨画、短冊、絵画、写真等のシート状作品を保持しかつ作品の交換可能な掛軸に関するものである。
【０００２】
【従来の技術】
従来、シート状作品を交換可能に保持する掛軸が提案されている。
特許文献１には磁石でシート状作品の上下を固定する挿換掛軸が掲載されている。
また特許文献２には、掛軸中央部に透明板を装着し、その裏面に上部からシート状作品を出し入れする掛け軸が公開されている。
特許文献３には、支持台上のシート状作品の四隅を紐状体により支持台に固定するシート状作品保持具が公開されている。
【特許文献１】実開昭５５−３８９０３号公報
【特許文献２】実開昭５７−１８４６６８号公報
【特許文献３】実用新案登録第３０８８７１９号公報
【０００３】
【発明が解決しようとする課題】
従来の交換可能な掛軸である特許文献１に記載の挿換掛軸あるいは特許文献３に記載のシート状作品保持具は、上下あるいは四隅を固定しているが、それ以外の部分は掛軸本体と遊離するため、こしのあるシートあるいは小さいシートであれば比較的安定した保持が期待できるが、薄い半紙や長いものにあっては、四隅の保持だけでは不安定であり、また風や人の動きでシート状作品が揺動し鑑賞の邪魔となってしまう。
【０００４】
また、特許文献２の考案は、透明板が反射し、作品の鑑賞に障害がでる。さらに、シート状作品を出し入れする際、シート状作品が大きいと出し入れが難しく、時間がかかるばかりか、作品を損傷させる危険が大である。
【０００５】
【課題を解決するための手段】
そこで本発明は、掛軸からシート状作品を傷めることなく簡単かつスムーズに出し入れして交換することができ、そして四囲を保持するようにして古来の掛軸と同様にシート状作品と掛軸本体との一体感を維持し、かつ掛軸本来の作品と掛軸とが総合して作出する優雅な美術品としての作品の鑑賞ができるようにした。
【０００６】
そのため、本発明は、掛軸本体の中央に、額縁状の保持部を形成し、その周囲の縁枠にて書などのシート状作品の四囲を安定に固定できるようにするとともに、縁枠の一隅を開閉できるようにしておき、シート状作品を前面中央の開口より容易にかつ損傷させることなく出し入れして交換可能とした。
【０００７】
また、これにより、各種書画展の準備が、従来よりも簡単に、短時間で行えるので、経費の効率化が計れる。さらに、各家庭や料亭・旅館等の諸施設でも、一つの掛軸で四季折々に合わせた書や水墨画を、手軽に交換して飾ることもできるようになる。
【０００８】
【発明の実施の形態】
本発明を図１、図２に示す掛軸全体図を例に取り詳細に説明する。
掛軸は、書などのシート状作品が挿入された展示状態で吊下げられている。
掛軸本体１は、上部軸である八双２、下部軸である軸棒３、総裏紙４、天（テン）表地５、地（チ）表地６と中央の作品保持部Ａとから構成されている。
【０００９】
作品保持部Ａは、四角い用紙の４辺を適宜の長さ折り返して作成した額縁状台紙Ｂを内蔵している。額縁状台紙Ｂは、図３ａに示すように方形の紙片の各四隅を方形（ハッチ線部分）に切除し、残りの四辺８〜１１をそれぞれ表面側にわずか折返して四方向に袋溝を形成するとともに、中央に開口７を形成している。この額縁状台紙Ｂの裏面が掛軸本体の総裏紙４に貼着されている。
【００１０】
額縁状台紙Ｂの各折返し辺８〜１１の表面全面に、帯片状の補強化粧紙１２〜１５の片側が重なり、そして他側が掛軸本体の総裏紙４に位置するようにして糊付けされ、これにより額縁状台紙Ｂが掛軸本体１に固着されている。
糊付け位置を図において点線で示してある。
この補強化粧紙は、上下位置のもの１２，１４が一文字、そして左右の横位置のもの１３，１５が柱と呼ばれている。この補強化粧紙は裂地（布地）が通常使用される。
【００１１】
さらに天表地５、地表地６が、上下側（一文字）の補強化粧紙１２，１４の一端および左右の補強化粧紙（柱）１３，１５の上下端に重ねられ糊付けされ、残部が上下の軸２，３に至るまで総裏紙４に重なり糊付けされている。
このようにして前面中央に書などの作品であるシート状作品を表示する開口７が形成され、その周囲にはシート状作品の周辺が差し込まれる袋溝が形成されている。
【００１２】
本発明では、さらに折返し辺８の一つのコーナー部がその折返し辺８の折れ線１６に沿って一部切断されて自由な舌片１７が作出されている。
この舌片は下部の折返し辺１０、あるいは左右の折返し辺９，１１に形成されても良く、また平行する２辺にそれぞれ形成されても良い。ただし２辺に形成する場合は、同一側に形成する。
また、差し出しがし易いように先端を丸めておくと良い。
【００１３】
作品などのシート状作品を本発明掛軸にセットする場合を図５に従って説明する。
図５ａに示すように上の折返し辺８に形成した舌片１７を外に引出して上辺８の袋溝の左方向を開き、この開口部よりシート状作品Ｃの端部を挿入する。シート状作品を右の折返し辺９の袋溝の奥まで押し込む。この時シート状作品Ｃの左端Ｃ１が左の折返し辺１１を越え開口７内に位置するように設計してある。その後、舌片１７を左の折返し辺１１のコーナー部に差し込んで戻す。次にシート状作品Ｃを斜め左下方向に移動させることにより、作品保持部Ａの中央にシート状作品Ｃを位置させることができ、シート状作品Ｃの周囲も各折返し辺内にそれぞれ納まり保持される。これによりシート状作品Ｃを折り曲げたりして損傷させることなく、シート状作品Ｃのセットを簡単に行える。
順番を逆にすることで取出すことも簡単にかつ安全に行える。
【００１４】
【実施例】
図６に示す実施例について説明する。
額縁状台紙Ｂは、ほぼ発明の実施の形態と同じに製作する。
額縁状台紙Ｂの大きさはシート状作品Ｃよりやや大きくなっており、その台紙の上の折返し辺８の折返し幅が、下の折返し辺１０の折返し幅より大きくしてあり、左右の折返し辺９，１１は、同じ幅になるように寸法取りをしてある。
【００１５】
シート状作品Ｃの大きさに対応させた大きさの額縁状台紙を選択し、その額縁状台紙Ｂの開口７の大きさも折返し辺の折返し幅を変えて調整してある。折返し辺の寸法調整幅は３〜１０ｃｍの範囲でよく、額縁状台紙Ｂに挿入されたシート状作品Ｃの作品部分が開口７内に正確に表出し、作品の周囲余白が各折返し辺に抑え込まれるようになっている。
【００１６】
本実施例では、上の折返し辺８のコーナー部の舌片１７に加え、下の折返し辺１０の同一側（図において左側）のコーナー部にも舌片１８を形成してある。
この舌片は、左右の折返し辺９，１１のコーナー部に形成しても良い。
【００１７】
シート状作品をセットする時には、上下の舌片１７，１８を図６ａに示すように両方共外に引出し、上の折返し辺８および下の折返し辺１０の袋溝の左方向を開口させ、この開口部にシート状作品Ｃの上下の側端部を挿入する。シート状作品を右の折返し辺９の袋溝の奥まで一旦押し込む。この時シート状作品Ｃの左端Ｃ１は左の折返し辺１１を越え開口７内に位置するように設計してある。その後、舌片１７，１８を左の折返し辺１１の上下コーナー部に差し込んで戻し、次にシート状作品Ｃを左方向に移動させ、シート状作品Ｃを中央に位置させる。
【００１８】
したがって、本実施例の場合は、シート状作品Ｃを一旦右に挿入した後、少し左に戻すだけでシート状作品Ｃのセットが簡単に行える。
この方式であれば、シート状作品が非常に長寸の場合でも簡単にセットすることができ大事な作品を損傷することがなくなる。
【００１９】
【発明の効果】
本発明掛軸は、作品を容易に交換できるので、１本の掛軸で多数の作品を鑑賞でき、その作品の交換も前面の横方向からスムーズに差し込み取外しが可能であるから、簡単にかつ作品を傷めることなく行える。
また、全紙、半切、半切２分の１、全懐紙、半紙等どのような大きさの作品にも対応させることが可能である。
【図面の簡単な説明】
【図１】掛軸全体正面図
【図２】図１の縦断面図（ａ）、その一部拡大図（ｂ）
【図３】額縁状台紙の作成図
【図４】発明の実施の形態を示す額縁状台紙の図
【図５】シート状作品の差し込み手順図
【図６】実施例におけるシート状作品差し込み手順図
【符号の説明】
１  掛軸本体
２  八双（上部軸）
３  軸棒（下部軸）
４  総裏紙
５  天表地
６  地表地
７  開口
８〜１１  折返し辺
１２〜１５  補強化粧紙
１６  折れ線
１７，１８  舌片
Ａ  作品保持部
Ｂ  額縁状台紙
Ｃ  シート状作品
【図１】
2004248762.tif 000003
【図２】
2004248762.tif 000004
【図３】
2004248762.tif 000005
【図４】
2004248762.tif 000006
【図５】
2004248762.tif 000007
【図６】
2004248762.tif 000008